(57)【要約】【課題】施工が容易な梁架構を提供する。【解決手段】大梁１００の梁成が小さい凹部１２０の上面１２０Ａの上に、小梁２００の接合部２１０と接合部２１０との間の部位２１２を載せ掛けて固定すればよいので、梁架構１０の施工が容易である。【選択図】図１
2018003443.tif 000002
【特許請求の範囲】
【請求項１】
長手方向の両端部の間に前記両端部よりも梁成が小さい凹部が形成された鉄骨製の大梁と、
接合部と接合部との間に前記大梁が位置するように、前記大梁の前記凹部の上面に架設された鉄骨製の連続小梁と、
を備える梁架構。
【請求項２】
前記連続小梁は、前記大梁から離れた部位でピン接合又は剛接合されている、或いは前記大梁から離れた部位は連続している、
請求項１に記載の梁架構。
【請求項３】
杭頭に設けられたフーチングの外周は鋼管で構成され、
前記大梁は、前記端部が前記鋼管に接合された基礎梁である、
請求項１又は請求項２に記載の梁架構。
【発明の詳細な説明】
【技術分野】
【０００１】
本発明は、梁架構に関する。
【背景技術】
【０００２】
特許文献１には、大梁に取り付ける小梁を剛接合とする鉄骨構造物に関する技術が開示されている。この先行技術では、大梁のウエブの直上で、長手方向に隣接する小梁端部同士を突合せ溶接することを特徴としている。
【先行技術文献】
【特許文献】
【０００３】
【特許文献１】ＷＯ２０１１/０９３５３３公報
【発明の概要】
【発明が解決しようとする課題】
【０００４】
上記先行技術では、大梁のウエブの直上で、長手方向に隣接する小梁端部同士を突き合せて溶接し剛接合しているので、施工が複雑である。
【０００５】
本発明は、上記事実に鑑み、施工が容易な梁架構を提供することが目的である。
【課題を解決するための手段】
【０００６】
請求項１の発明は、長手方向の両端部の間に前記両端部よりも梁成が小さい凹部が形成された鉄骨製の大梁と、接合部と接合部との間に前記大梁が位置するように、前記大梁の前記凹部の上面に架設された鉄骨製の連続小梁と、を備える梁架構である。
【０００７】
請求項１に記載の発明では、鉄骨製の大梁の梁成が小さい凹部の上面に、鉄骨製の連続小梁の接合部と接合部との間が位置するように架設すればよいので、大梁の上で連続小梁の端部同士を溶接して剛接合する場合と比較し、梁架構の施工が容易である。
【０００８】
請求項２の発明は、前記連続小梁は、前記大梁から離れた部位でピン接合又は剛接合されている、或いは前記大梁から離れた部位は連続している、請求項１に記載の梁架構である。
【０００９】
請求項２に記載の発明では、連続小梁は大梁から離れた部位でピン接合又は剛接合されている、或いは前記大梁から離れた部位は連続しているので、連続小梁の作製が容易になると共に小梁の梁成を小さくすることができる。
【００１０】
請求項３の発明は、杭頭に設けられたフーチングの外周は鋼管で構成され、前記大梁は、前記端部が前記鋼管に接合された基礎梁である、請求項１又は請求項２に記載の梁架構である。
【００１１】
請求項３に記載の発明では、杭頭に設けられた鋼管に鉄骨製の大梁の長手方向の端部を接合することで基礎梁が形成されるので、施工が容易である。また、鉄骨製の大梁を基礎梁とすることで、鉄筋コンクリート製の基礎梁と比較し、軽量化され、杭の負担が軽減する。
【発明の効果】
【００１２】
本発明によれば、大梁の上で連続小梁の端部同士を溶接して剛接合する場合と比較し、梁架構の施工が容易である。
【図面の簡単な説明】
【００１３】
【図１】本発明の一実施形態の梁架構の斜視図である。
【図２】本発明の一実施形態の梁架構をＹ方向から見た正面図である。
【図３】本発明の一実施形態の梁架構をＺ方向から見た平面図である。
【図４】小梁の接合部と長期荷重の曲げ応力との位置関係を説明する説明図である。
【発明を実施するための形態】
【００１４】
本発明の一実施形態の梁架構について説明する。なお、各図において適宜示される矢印Ｘ及び矢印Ｙは水平方向における直交する２方向を示し、矢印Ｚは鉛直方向を示している。
【００１５】
＜構造＞
先ず本実施形態の梁架構の構造について説明する。
【００１６】
図１及び図３に示すように、本実施形態の梁架構１０は、長手方向がＹ方向に沿った鉄骨製の大梁１００と長手方向がＸ方向に沿った鉄骨製の小梁２００とを有し、平面視において、大梁１００と小梁２００とで格子状に配置されている。
【００１７】
図２に示すように、地盤１２には、杭２０が埋設されている。なお、本実施形態においては、地盤１２の上にコンクリート造の底板１４が設けられているが、底板１４が設けられていなくてもよい。
【００１８】
杭２０の杭頭２０Ａの周囲には、フーチング３０が設けられている。フーチング３０は、外周が鋼管３２で構成され、この鋼管３２の内部には、コンクリート３４が充填されている。また、このフーチング３０の上には柱１６が設けられている。
【００１９】
本実施形態における大梁１００は、長手方向の端部１１０がフーチング３０を構成する鋼管３２の外周に接合され、底板１４と間隔をあけて配置された基礎梁である。
【００２０】
図１及び図２に示すように、本実施形態の大梁１００は、Ｈ形鋼で構成され、長手方向の端部１１０は、上向きのハンチになっている。言い換えると、大梁１００は、長手方向の両端部１１０の間に両端部１１０よりも梁成が小さい凹部１２０が形成されている。
【００２１】
図２に示すように、大梁１００の端部１１０は、フーチング３０を構成する鋼管３２の外周に溶接された鋼管側端部１１２と、凹部１２０から続く梁側端部１１４と、で構成され、これら鋼管側端部１１２と梁側端部１１４とは、接続板１１６を用いてボルト接合されている。
【００２２】
図１及び図２に示すように、本実施形態の小梁２００は、Ｈ形鋼で構成された連続梁とされ、大梁１００の凹部１２０の上面１２０Ａの上に架設されている。また、小梁２００の接合部２１０と接合部２１０との間を構成する部位２１２が大梁１００に固定されている。なお、本実施形態の小梁２００は大梁１００に剛接合されていないが、ボルト締結や隅肉溶接等を用いて固定されている。
【００２３】
図４に示すように、本実施形態における小梁２００の接合部２１０は、大梁１００から離れた部位、具体的には長期荷重による曲げ応力が作用しない部位でピン接合されている。なお、図４の一点鎖線Ｆが長期荷重による曲げ応力を表している。
【００２４】
本実施形態の小梁２００は、図１に示すように、Ｈ形鋼のウエブ２０２同士が継手板２２０を用いてボルト接合されている。
【００２５】
図１及び図２に示すように、大梁１００の両端部１１０の上面１１０Ａと小梁２００の上面２００Ａとは、同一高さ又は略同一高さとされている。そして、図２に示すように、大梁１００と小梁２００との上にスラブ１８が設けられている。
【００２６】
＜作用及び効果＞
次に、本実施形態の作用及び効果について説明する。
【００２７】
大梁１００の梁成が小さい凹部１２０の上面１２０Ａの上に、小梁２００の接合部２１０と接合部２１０との間の部位２１２を載せ掛けて固定すればよいので、梁架構１０の施工が容易である。
【００２８】
また、小梁２００は大梁１００から離れた部位、具体的には長期荷重による曲げ応力が作用しない部位で、ボルト締結によってピン接合されているので、小梁２００の作製が容易であると共に小梁２００の梁成を小さくすることができる。
【００２９】
また、杭２０の杭頭２０Ａに設けられ、フーチング３０を構成する鋼管３２の外周に鉄骨製の大梁１００の長手方向の端部１１０を接合することで基礎梁が形成されるので、施工が容易である。更に本実施形態では、鋼管３２の外周に溶接された鋼管側端部１１２に接続板１１６を用いて梁側端部１１４をボルト接合すればよいので、更に施工が容易である。
【００３０】
また、鉄骨製の大梁１００を基礎梁とすることで、鉄筋コンクリート製の基礎梁と比較し、軽量化され、杭２０の負担が軽減する。
【００３１】
また、本実施形態では、大梁１００の両端部１１０の上面１１０Ａと小梁２００の上面２００Ａとは、同一高さ又は略同一高さとされているので、スラブ１８の施工が容易である。
【００３２】
なお、本実施形態では、スラブ１８の下側の大梁１００の凹部１２０における小梁２００と小梁２００と間のスペースを配管等の設備スペースとして利用することが可能である。
【００３３】
＜その他＞
尚、本発明は上記実施形態に限定されない。
【００３４】
上記実施形態では、小梁２００の接合部２１０と接合部２１０との間を構成する部位２１２は、大梁１００の凹部１２０の上面１２０Ａにボルト締結や隅肉溶接等を用いて固定されているが、これに限定されない。小梁２００を大梁１００の凹部１２０に固定されていなくてもよいし、溶接等で剛接合されていてもよい。
【００３５】
また、上記実施形態では、小梁２００は大梁１００から離れた部位で、ピン接合されていたが、これに限定されない。小梁２００は大梁１００から離れた部位で剛接合されていてもよい。或いは、小梁２００は大梁１００から離れた部位では連続し、大梁１００に近接する部位で接合されていてもよい。
【００３６】
また、上記実施形態では、大梁１００は基礎梁であったが、基礎梁に限定されることはなく、基礎梁以外にも適用してもよい。
【００３７】
更に、本発明の要旨を逸脱しない範囲において種々なる態様で実施し得ることは言うまでもない
【符号の説明】
【００３８】
１０      梁架構
２０Ａ    杭頭
３０      フーチング
３２      鋼管
１００      大梁
１１０      端部
１２０      凹部
２００      小梁（連続小梁）
２１０      接合部
【図１】
2018003443.tif 000003
【図２】
2018003443.tif 000004
【図３】
2018003443.tif 000005
【図４】
2018003443.tif 000006